(57)【要約】【課  題】一次及び二次止水手段を設けて、万一水が一次止水手段を通って目地内に侵入するようなことがあっても、二次止水手段で遮断して建物内部への漏水を防ぐことができるようにした目地構造において、目地の施工バラツキにより目地幅が変化しても、止水性が低下することがないようにする。【解決手段】外装材１３には、端部裏面にに断面コ字形の下地材１１が取着されている。二次止水手段は、両側に水密材１６を貼着し、各側が水密材１６と共に両側の外装材１３の下地材１１にそれぞれ挿入される鋼製のカバー１５と、カバー中央部より突出し、下地材の柱１４間の目地１２ｃに挿入されるネジ棒１７と、柱間より突出するネジ棒１７の突出部分に止め具１８を介して捩込まれるナット１９よりなり、一次止水手段はガスケット２１よりなる。【選択図】  図３
2004360271.tif 000002
【特許請求の範囲】
【請求項１】
建物外壁の下地材間及び該下地材上の外装材１３間に形成される目地１２ａ、１２ｂの奥側及び外側にそれぞれ装着される二次止水手段及び一次止水手段からなる建物外壁の目地構造において、上記二次止水手段が、柱間の目地１２ｃに外側より被せられるカバー１５と、該カバー１５の裏面に取着され、下地材に密着してシールする水密材１６と、上記カバー１５の裏面中央より長手方向に適当間隔をおいて突設されるネジ棒１７と、柱間の目地１２ｃに内側より当てられる止め具１８と、該止め具１８を通して突出するネジ棒１７の突出部分に捩込まれるナット１９とよりなることを特徴とする目地構造。
【請求項２】
建物外壁の下地材間及び該下地材上の外装材１３間に形成される目地１２ａ、１２ｂの奥側及び外側にそれぞれ装着される二次止水手段及び一次止水手段からなる建物外壁の目地構造において、上記二次止水手段が、柱間の目地１２ｃに外側より被せられるカバー１５と、該カバー１５の裏面に取着され、下地材に密着してシールする水密材１６と、上記カバー１５の裏面中央より長手方向に適当間隔をおいて突設されるネジ棒１７と、柱間の目地１２ｃに内側より当てられ、ネジ棒１７に捩込まれるネジ孔が形成される止め具１８よりなることを特徴とする目地構造。
【請求項３】
上記カバー１５が鋼製であることを特徴とする請求項１又は２記載の目地構造。
【請求項４】
上記外装材１３が、その端部裏面に断面凹状の下地材１１を有し、該下地材１１にカバー１５の側片が係止することを特徴とする請求項１ないし３記載の目地構造。
【請求項５】
下地材に被さるカバー１５と、該カバー１５とネジ棒１７によって連結される止め具１８とで柱１４を挟み込むようにして固定することを特徴とする請求項１ないし４のいずれかの請求項に記載の目地構造。
【発明の詳細な説明】
【０００１】
【発明が属する技術分野】
本発明は、建物外壁の目地構造に関する。
【０００２】
【従来技術】
図１は、従来のこの種目地構造の一例を示すもので、外装材１間の目地２に挿入される、樹脂や合成ゴム等の成形品或いはシリコーンスポンジ、グラスウール、ロックウール等の耐火物よりなる二次ガスケット３と、目地２に被さる意匠性を持たせた一次ガスケット４とよりなっている。
【０００３】
図２は、下記特許文献１に開示されるような従来の目地構造の別の例を示すもので、両側片を外方に向けて拡開し、外装材１間の目地２に外側から被さるカバー６と、カバー裏面の両側に貼着される合成ゴム又は樹脂製の水密材７と、カバー裏面中央に長手方向に適当間隔で突設されるネジ棒８と、目地２に内側から当てられるワッシャー状の止め具９と、該止め具９から突出するネジ棒８に捩込んで締結されるナット１０とからなっている。
【０００４】
【特許文献１】実公昭６３−２９７６４号
【０００５】
【発明が解決しようとする課題】
上述の図１に示すタイプのものは、目地の施工バラツキにより目地幅が大きくなると、止水性が低下するようになる。これに対し、図２に示すジョイナータイプのものは、目地幅の変化に対応することができるが、一次防水だけで二次防水の設定がないため、万一水が外装材１と水密材７との間を通って侵入すると、建物内部に漏水するようになる。
【０００６】
本発明は、一次及び二次止水手段を設けて、万一水が一次止水手段を通って目地内に侵入するようなことがあっても、二次止水手段で遮断して建物内部への漏水を防ぐことができるようにした目地構造において、目地の施工バラツキにより目地幅が変化しても、止水性が低下することがないようにしたものである。
【０００７】
【課題の解決手段】
請求項１に係わる発明は、建物外壁の下地材間及び該下地材上の外装材間に形成される目地の奥側及び外側にそれぞれ装着される二次止水手段及び一次止水手段からなる建物外壁の目地構造において、上記二次止水手段が、柱間の目地に外側より被せられるカバーと、該カバーの裏面に取着され、下地材に密着してシールする水密材と、上記カバーの裏面中央より長手方向に適当間隔をおいて突設されるネジ棒と、柱間の目地に内側より当てられる止め具と、該止め具を通して突出するネジ棒の突出部分に捩込まれるナットとよりなることを特徴とし、
請求項２に係わる発明は、建物外壁の下地材間及び該下地材上の外装材間に形成される目地の奥側及び外側にそれぞれ装着される二次止水手段及び一次止水手段からなる建物外壁の目地構造において、上記二次止水手段が、柱間の目地に外側より被せられるカバーと、該カバーの裏面に取着され、下地材に密着してシールする水密材と、上記カバーの裏面中央より長手方向に適当間隔をおいて突設されるネジ棒と、柱間の目地に内側より当てられ、ネジ棒に捩込まれるネジ孔が形成される止め具よりなることを特徴とする。
【０００８】
上記各発明によると、水が万一、一次止水手段を通って目地内に侵入するようなことがあっても二次止水手段が止められ、建物内への漏水を防ぐことができると共に、施工のバラツキにより目地幅が変動しても、下地材に対する水密材の接触位置或いは接触面積が変化するだけで、二次止水手段が下地材間の目地をシールし、止水性を確保することができる。
【０００９】
上記各発明で用いる一次止水手段としては、例えば図１に示すようなガスケットやシーリング材等を例示することができる。ガスケットとしては、樹脂や合成ゴム等の成形品よりなるもの、シーリング材としては、ウレタンや変成シリコーンで代表されるものが用いられる。
【００１０】
二次止水手段の水密材にも一次止水手段のガスケットと同様の材質のものを用いることができるが、好ましくはその発泡体が用いられる。
止め具としては、長尺で、長手方向に適当間隔でネジ棒が通される孔又はネジ棒に捩込まれるネジ孔をあけた帯金や、ワッシャー状のようなピース部材等を例示することができる。なお、ネジ孔が形成される止め具には、ナットを設ける必要はないが、止め具の弛み止めのためナットを設けてもよい。
【００１１】
カバーは、ナット又は止め具をネジ棒に捩込んで締結したときの強度に耐えられるようなものであればよく、とくに制限はないが、好ましくは耐熱性のある金属、より好ましくは強度があって、防錆性のある安価な鋼製のものが望ましい。
したがって請求項３に係わる発明は、請求項１又は２に係わる発明において、カバーが鋼製であることを特徴とする。
【００１２】
請求項４に係わる発明は、請求項１ないし３に係わる発明において、外装材が、その端部裏面に断面凹状の溝を形成する下地材を有し、該下地材にカバーの側片が係止することを特徴とする。
本発明によると、二次止水手段は止水性を有すると共に、外装材を固定する機能を果たし得るようになる。
【００１３】
本発明において、下地材にはカバーの側片を係止させ、更に水密材を密着させるようにしている。こうした下地材は、例えば外装材の上実下に取着される断面コ字形の枠体、外装材裏面に取着され、上実下に上実と平行をなして突出する取付板、或いは下地材裏面に取着され、外装材端部と平行をなして突出する取付板等で構成することができる。
【００１４】
請求項５に係わる発明は、請求項１ないし４に係わる発明において、下地材に被さるカバーと、該カバーとネジ棒によって連結される止め具とで柱を挟み込むようにして固定することを特徴とする。
【００１５】
【発明の実施の形態】
図３は、本発明に係わる目地構造を示すもので、下地材１１間に形成される目地１２ａを止水するための二次止水手段と、下地材上の外装材１３間に形成される目地１２ｂを止水するための一次止水手段とからなっており、以下各止水手段について順に説明する。
【００１６】
二次止水手段は、柱１４間の目地１２ｃに外側から被さる断面皿状をなす長尺な鋼製のカバー１５と、図４に示すように該カバー１５裏面両側に貼着される帯状の合成ゴム又は樹脂製の発泡体よりなる水密材１６と、カバー裏面中央より長手方向に定間隔で突設されるネジ棒１７と、柱間の目地１２ｃに内側から当てられ、ネジ棒１７が通される止め具１８と、該止め具１８から突出するネジ棒１７の突出部分に捩込まれるナット１９よりなり、止め具１８は詳細を図示していないが、ネジ棒１７が通される孔をネジ棒１７と等間隔で形成した帯金で構成されるか、或いはワッシャーで構成される。
【００１７】
一次止水手段は、図１に示すガスケット４と同様のガスケット２１である。
外装材１３は、端部端面に凹状断面の断面コ字形をなす下地材１１が一体をなして取着され、下地材１１と共に外壁パネルを構成している。
次に図３に示す目地構造の施工例について説明する。
【００１８】
下地材１１と外装材１３よりなる外壁パネルを建物の基礎部及び梁部に装着し、隣接する外壁パネル間に目地１２ａ、１２ｂを形成したのち、水密材１６を貼着し、かつネジ棒１７を定間隔で突設したカバー１５を外壁パネル上部より、カバー１５が目地１２ａ内にネジ棒１７が柱１４間の目地１２ｃ内に入るようにして落し込む。
【００１９】
次に柱１４間の目地１２ｃより突出する各ネジ棒１７に、止め具１８を差し込んで目地１２ｃに被せ、止め具１８より突出するネジ棒１７の突出部分にナット１９を捩込み締着する。その後、外装材１３間の目地１２ｂにガスケット２１を挿入して取付ける。
【００２０】
【発明の効果】
請求項１及び２に係わる発明によると、一次及び二次止水手段が設けられ、万が一、水が一次止水手段を通って侵入するようなことがあっても、二次止水手段で食い止められ、建物内への漏水を防ぐことができると共に、二次止水手段のカバーが柱間の目地に被さって止水しているため、施工上のバラツキにより目地幅が変動するようなことがあっても、下地材間の目地がシールされ、止水性を確保することができる。
【００２１】
請求項３に係わる発明によると、カバーを鋼製とすることにより、目地構造に耐火性を持たせることができる。
請求項４及び５に係わる発明によると、二次止水手段により止水性を持たせることができると共に、外壁パネルを固定する機能を持たせることができる。
【図面の簡単な説明】
【図１】従来の目地構造の断面図。
【図２】従来の目地構造の別の例の断面図。
【図３】本発明に係わる目地構造の断面図。
【図４】図３に示す目地構造で用いる二次止水手段の要部の斜視図。
【符号の説明】
１１・・下地材
１２ａ、１２ｂ、１２ｃ・・目地
１３・・外装材
１４・・柱
１５・・カバー
１６・・水密材
１７・・ネジ棒
１８・・止め具
１９・・ナット
２１・・ガスケット
【図１】
2004360271.tif 000003
【図２】
2004360271.tif 000004
【図３】
2004360271.tif 000005
【図４】
2004360271.tif 000006